(57)【要約】【課題】主要部だけの標準品を用意しておき、ユーザーによってレンズユニットや撮像素子ユニットが変わるごとに、標準品に対して別の中間部品を組み合わせることにより、各種のレンズユニットや撮像素子ユニットに安価に対応できるようにした露光条件切替ユニットを提供する。【解決手段】露光用の開口部１４０を有し、外光の入射方向の前面側にレンズユニット３００が装着されると共に後面側に撮像素子ユニット５００が装着されるハウジング１０１と、該ハウジング内に収容された露光条件切替機構部とを具備する露光条件切替ユニット１０において、ハウジングの前面側に、レンズユニットの種類に応じて交換されるレンズユニット装着部材２００を着脱自在に取り付けると共に、ハウジングの後面側に、撮像素子ユニットの種類に応じて交換される撮像素子ユニット装着部材４００を着脱自在に取り付けた。【選択図】図１
2010286733.tif 000002
【特許請求の範囲】
【請求項１】
外光の入射する露光用の開口部を有し、前記開口部と光軸を合わせて、外光の入射方向の前面側にレンズユニットが装着されると共に後面側に撮像素子ユニットが装着されるハウジングと、該ハウジング内に収容され、前記レンズユニットから前記開口部を通して前記撮像素子ユニットに入射する露光の条件を切り替える露光条件切替機構部と、を具備する露光条件切替ユニットにおいて、
前記ハウジングの前面側に、該ハウジングと前記レンズユニットの中間に介在すると共に、前記レンズユニットの種類に応じて交換されるレンズユニット装着部材が着脱自在に取り付けられ、該レンズユニット装着部材に、前記ハウジングと連結するための連結手段と、対応する種類の前記レンズユニットと連結するための連結手段とが設けられていることを特徴とする露光条件切替ユニット。
【請求項２】
外光の入射する露光用の開口部を有し、前記開口部と光軸を合わせて、外光の入射方向の前面側にレンズユニットが装着されると共に後面側に撮像素子ユニットが装着されるハウジングと、該ハウジング内に収容され、前記レンズユニットから前記開口部を通して前記撮像素子ユニットに入射する露光の条件を切り替える露光条件切替機構部と、を具備する露光条件切替ユニットにおいて、
前記ハウジングの後面側に、該ハウジングと前記撮像素子ユニットの中間に介在すると共に、前記撮像素子ユニットの種類に応じて交換される撮像素子ユニット装着部材が着脱自在に取り付けられ、該撮像素子ユニット装着部材に、前記ハウジングと連結するための連結手段と、対応する種類の前記撮像素子ユニットと連結するための連結手段とが設けられていることを特徴とする露光条件切替ユニット。
【請求項３】
外光の入射する露光用の開口部を有し、前記開口部と光軸を合わせて、外光の入射方向の前面側にレンズユニットが装着されると共に後面側に撮像素子ユニットが装着されるハウジングと、該ハウジング内に収容され、前記レンズユニットから前記開口部を通して前記撮像素子ユニットに入射する露光の条件を切り替える露光条件切替機構部と、を具備する露光条件切替ユニットにおいて、
前記ハウジングの前面側に、該ハウジングと前記レンズユニットの中間に介在すると共に、前記レンズユニットの種類に応じて交換されるレンズユニット装着部材が着脱自在に取り付けられ、該レンズユニット装着部材に、前記ハウジングと連結するための連結手段と、対応する種類の前記レンズユニットと連結するための連結手段とが設けられ、
前記ハウジングの後面側に、該ハウジングと前記撮像素子ユニットの中間に介在すると共に、前記撮像素子ユニットの種類に応じて交換される撮像素子ユニット装着部材が着脱自在に取り付けられ、該撮像素子ユニット装着部材に、前記ハウジングと連結するための連結手段と、対応する種類の前記撮像素子ユニットと連結するための連結手段とが設けられていることを特徴とする露光条件切替ユニット。
【請求項４】
請求項１または３に記載の露光条件切替ユニットであって、
前記ハウジングが前面側の前面ケースと後面側の後面ケースとで構成され、それら前面ケースと後面ケースを互いに合わせてできる空間の内部に前記露光条件切替機構部が収容されており、前記レンズユニット装着部材が、該レンズユニット装着部材側から通した前記連結手段としての固定ネジを、前記前面ケースに形成されたネジ挿通孔を通して前記後面ケースに形成されたネジ孔にねじ込むことによって、前記ハウジングに取り付けられていることを特徴とする露光条件切替ユニット。
【請求項５】
請求項２または３に記載の露光条件切替ユニットであって、
前記撮像素子ユニットが、回路基板上に撮像素子を実装したものであり、前記撮像素子ユニット装着部材が、前記回路基板を該撮像素子ユニット装着部材に連結したときに、前
記撮像素子を前記ハウジングの開口部に対応する位置に位置決めして収容する枠部を有していることを特徴とする露光条件切替ユニット。
【請求項６】
請求項１〜５のいずれか１項に記載の露光条件切替ユニットのハウジングの前面側にレンズユニットを装着すると共に、後面側に撮像素子ユニットを装着して一体化してなることを特徴とするカメラユニット。
【発明の詳細な説明】
【技術分野】
【０００１】
本発明は、カメラ用の露光条件切替ユニット、および、その露光条件切替ユニットを主要部として構成したカメラユニットに関するものである。
【背景技術】
【０００２】
ノートパソコンや携帯電話あるいは車両や監視用機器などに、小型のカメラユニット（スチルカメラやビデオカメラユニット）が広く搭載されるようになってきており、それらのカメラユニットに、フィルタ装置や絞り装置あるいはシャッタ装置等の露光条件切替ユニットが装備されることも多くなってきた。
【０００３】
従来、この種の露光条件切替ユニットの例として、特許文献１に記載のものが知られている。この露光条件切替ユニットは、上部カバー（前面ケースに相当）と下部ベース（後面ケースに相当）よりなるハウジングの内部に露光条件切替機構部としてのフィルタ切替機構部を収容し、上部カバーにレンズユニットの装着部を一体に形成すると共に、下部ベースに撮像素子ユニットの装着部を一体に形成したものである。
【先行技術文献】
【特許文献】
【０００４】
【特許文献１】特開２００９−９２８６６号公報
【発明の概要】
【発明が解決しようとする課題】
【０００５】
ところが、ユーザーによって、使用するレンズユニットの種類が違ったり、撮像素子ユニットの種類が違ったりするため、上部カバーや下部ベースを、ユーザーごとに用意しなくてはならず、露光条件切替ユニットの標準化が難しいという問題が出てきた。
【０００６】
本発明は、上記事情を考慮し、主要部だけの標準品を用意しておき、ユーザーによってレンズユニットや撮像素子ユニットが変わるごとに、標準品に対して別の中間部品を組み合わせることにより、各種のレンズユニットや撮像素子ユニットに安価に対応できるようにした露光条件切替ユニットと、それを用いて構成したカメラユニットを提供することを目的とする。
【課題を解決するための手段】
【０００７】
上述の課題を解決するための構成は以下の通りである。
（１）  外光の入射する露光用の開口部を有し、前記開口部と光軸を合わせて、外光の入射方向の前面側にレンズユニットが装着されると共に後面側に撮像素子ユニットが装着されるハウジングと、該ハウジング内に収容され、前記レンズユニットから前記開口部を通して前記撮像素子ユニットに入射する露光の条件を切り替える露光条件切替機構部と、を具備する露光条件切替ユニットにおいて、
前記ハウジングの前面側に、該ハウジングと前記レンズユニットの中間に介在すると共に、前記レンズユニットの種類に応じて交換されるレンズユニット装着部材が着脱自在に取り付けられ、該レンズユニット装着部材に、前記ハウジングと連結するための連結手段と、対応する種類の前記レンズユニットと連結するための連結手段とが設けられていることを特徴とする露光条件切替ユニット。
（２）  外光の入射する露光用の開口部を有し、前記開口部と光軸を合わせて、外光の入射方向の前面側にレンズユニットが装着されると共に後面側に撮像素子ユニットが装着されるハウジングと、該ハウジング内に収容され、前記レンズユニットから前記開口部を
通して前記撮像素子ユニットに入射する露光の条件を切り替える露光条件切替機構部と、を具備する露光条件切替ユニットにおいて、
前記ハウジングの後面側に、該ハウジングと前記撮像素子ユニットの中間に介在すると共に、前記撮像素子ユニットの種類に応じて交換される撮像素子ユニット装着部材が着脱自在に取り付けられ、該撮像素子ユニット装着部材に、前記ハウジングと連結するための連結手段と、対応する種類の前記撮像素子ユニットと連結するための連結手段とが設けられていることを特徴とする露光条件切替ユニット。
（３）  外光の入射する露光用の開口部を有し、前記開口部と光軸を合わせて、外光の入射方向の前面側にレンズユニットが装着されると共に後面側に撮像素子ユニットが装着されるハウジングと、該ハウジング内に収容され、前記レンズユニットから前記開口部を通して前記撮像素子ユニットに入射する露光の条件を切り替える露光条件切替機構部と、を具備する露光条件切替ユニットにおいて、
前記ハウジングの前面側に、該ハウジングと前記レンズユニットの中間に介在すると共に、前記レンズユニットの種類に応じて交換されるレンズユニット装着部材が着脱自在に取り付けられ、該レンズユニット装着部材に、前記ハウジングと連結するための連結手段と、対応する種類の前記レンズユニットと連結するための連結手段とが設けられ、
前記ハウジングの後面側に、該ハウジングと前記撮像素子ユニットの中間に介在すると共に、前記撮像素子ユニットの種類に応じて交換される撮像素子ユニット装着部材が着脱自在に取り付けられ、該撮像素子ユニット装着部材に、前記ハウジングと連結するための連結手段と、対応する種類の前記撮像素子ユニットと連結するための連結手段とが設けられていることを特徴とする露光条件切替ユニット。
（４）  上記（１）または（３）の構成において、
前記ハウジングが前面側の前面ケースと後面側の後面ケースとで構成され、それら前面ケースと後面ケースを互いに合わせてできる空間の内部に前記露光条件切替機構部が収容されており、前記レンズユニット装着部材が、該レンズユニット装着部材側から通した前記連結手段としての固定ネジを、前記前面ケースに形成されたネジ挿通孔を通して前記後面ケースに形成されたネジ孔にねじ込むことによって、前記ハウジングに取り付けられていることを特徴とする露光条件切替ユニット。
（５）  上記（２）または（３）の構成において、
前記撮像素子ユニットが、回路基板上に撮像素子を実装したものであり、前記撮像素子ユニット装着部材が、前記回路基板を該撮像素子ユニット装着部材に連結したときに、前記撮像素子を前記ハウジングの開口部に対応する位置に位置決めして収容する枠部を有していることを特徴とする露光条件切替ユニット。
（６）  上記（１）から（５）のいずれかの露光条件切替ユニットのハウジングの前面側にレンズユニットを装着すると共に、後面側に撮像素子ユニットを装着して一体化してなることを特徴とするカメラユニット。
【発明の効果】
【０００８】
上記（１）の構成の露光条件切替ユニットによれば、ハウジングの前面側にレンズユニットの種類に応じて交換可能なレンズユニット装着部材を取り付けているので、ハウジングまでを標準品として用意し、レンズユニットの種類に応じてレンズユニット装着部材を選択して取り付けることにより、各種のレンズユニットに安価に対応することができる。
上記（２）の構成の露光条件切替ユニットによれば、ハウジングの後面側に撮像素子ユニットの種類に応じて交換可能な撮像素子ユニット装着部材を取り付けているので、ハウジングまでを標準品として用意し、撮像素子ユニットの種類に応じて撮像素子ユニット装着部材を選択して取り付けることにより、各種の撮像素子ユニットに安価に対応することができる。
上記（３）の構成の露光条件切替ユニットによれば、ハウジングの前面側と後面側に、それぞれレンズユニットの種類に応じて交換可能なレンズユニット装着部材と撮像素子ユニット装着部材を取り付けているので、ハウジングまでを標準品として用意し、レンズユ
ニットや撮像素子ユニットの種類に応じてレンズユニット装着部材や撮像素子ユニット装着部材を選択して取り付けることにより、各種のレンズユニットおよび撮像素子ユニットに安価に対応することができる。
上記（４）の構成の露光条件切替ユニットによれば、レンズユニット装着部材をハウジングに取り付けるネジを、ハウジングの前面ケースではなく、前面ケースの挿通孔を貫通して、その下側の後面ケースのネジ孔まで締め込むので、取付強度を高くすることができる。
上記（５）の構成の露光条件切替ユニットによれば、撮像素子ユニット装着部材に撮像素子を収容するための枠部が付いているので、撮像素子に無用な光が入り込むのを枠部によって遮断することができる。
上記（６）の構成のカメラユニットによれば、（１）〜（５）のいずれかの露光条件切替ユニットを備えているので、各種のバリエーションに対応することができる。
【図面の簡単な説明】
【０００９】
【図１】本発明の実施形態の露光条件切替ユニットと、レンズユニットおよび撮像素子ユニットとの組み合わせのバリエーションを示す系統図である。
【図２】実施形態の露光条件切替ユニットの前面側の１つの組み合わせ例を拡大して示す分解斜視図である。
【図３】実施形態の露光条件切替ユニットの後面側の１つの組み合わせ例を拡大して示す分解斜視図である。
【図４】実施形態の露光条件切替ユニットのハウジングの前面ケースの代わりに、レンズユニットの種類ごとに専用のレンズユニット装着部を一体的に設けた前面ケースを用いる場合の各例（ａ）〜（ｃ）を示す斜視図である。
【発明を実施するための形態】
【００１０】
以下、本発明の実施形態を図面を参照して説明する。
図１は本発明の実施形態の露光条件切替ユニット（フィルタ切替ユニット）とレンズユニットおよび撮像素子ユニットとの組み合わせのバリエーションを示す系統図、図２は実施形態の露光条件切替ユニットの前面側の１つの組み合わせ例を拡大して示す分解斜視図、図３は実施形態の露光条件切替ユニットの後面側の１つの組み合わせ例を拡大して示す分解斜視図である。
【００１１】
図１に示すように、実施形態の露光条件切替ユニット１０は、ユニットの主体である露光条件切替ユニット本体１００と、それに組み合わせるレンズユニット３００や撮像素子ユニット５００の種類に応じて付属的に取り付けられるレンズユニット装着部材（レンズホルダとも言う）２００および撮像素子ユニット装着部材（撮像素子ホルダとも言う）４００とからなる。レンズユニット装着部材２００および撮像素子ユニット装着部材４００は、露光条件切替ユニット本体１００に対して着脱自在に取り付けられるものであり、組み合わせられるレンズユニット３００や撮像素子ユニット５００の種類に応じて何種類か用意され、その中から選択して取り付けられる。
【００１２】
露光条件切替ユニット本体１００は、図２に示すように、外光の入射する露光用の開口部１４０を備えた薄形中空のハウジング１０１と、ハウジング１０１の内部に収容された露光条件切替機構部１５０とからなり、ハウジング１０１の外光の入射方向の前面側にレンズユニット３００が装着され、ハウジング１０１の外光の入射方向の後面側に撮像素子ユニット５００が装着されるようになっている。ハウジング１０１内の露光条件切替機構部１５０は、レンズユニット３００からハウジング１０１の開口部１４０を通して撮像素子ユニット５００に入射する露光の条件を切り替えるものであり、本実施形態の場合は、開口部１４０により構成される光路に対して、赤外カットフィルタを抜き差しすることにより、露光の条件を切り替えることができる構成となっている。従って本実施形態の露光
条件切替ユニット１０は、フィルタ切替ユニットということになる。
【００１３】
ハウジング１０１は、外光の入射方向の前面側に位置する前面ケース（上部カバーとも言う）１２０と、後面側に位置する後面ケース（下部ベースとも言う）１１０とで構成され、それら前面ケース１２０と後面ケース１１０を互いに合わせてできる空間の内部に露光条件切替機構部１５０が収容されている。後面ケース１１０は、ユニットのベースとなる浅い箱状の部材であり、全体的に平板状に形成され、下面（外表面）の中央部分がフラットな面で構成されている。前面ケース１２０は、ユニットのカバーとなる平板状の部材であり、上面（外表面）の全体がフラットな面で構成されている。
【００１４】
前面ケース１２０と後面ケース１１０は、内部に露光条件切替機構部１５０を収容した後で、後面ケース１１０の周縁部に設けた爪１１２に前面ケース１２０の周縁部に設けた係合部１２２を係合させて、後面ケース１１０の上に前面ケース１２０を被せ、その状態で、前面ケース１２０の挿通孔１２１に通した固定ネジ１３１の先端を、後面ケース１１０のネジ孔１１１にねじ込むことにより一体に結合され、それによりハウジング１０１を構成している。
【００１５】
また、後面ケース１１０の内部には、前面ケース１２０に形成された３つの挿通孔１２３に対応させて、レンズユニット装着部材３００を固定するための３つのネジ孔１１３が設けられている。同様に、後面ケース１１０の下面には、図３に示すように、撮像素子ユニット装着部材４００を固定するための３つのネジ孔１１４が設けられている。
【００１６】
ここでは、図１に示すように、組み合わせるレンズユニット３００として２種類のタイプのものが考えられており、それぞれのタイプのレンズユニット３００Ａ、３００Ｂに対応した２種類のレンズユニット装着部材２００Ａ、２００Ｂが用意され、いずれか１つのレンズユニット装着部材２００Ａ、２００Ｂを選択して、露光条件切替ユニット本体１００に取り付けられるようになっている。
【００１７】
第１のタイプのレンズユニット３００Ａは、円筒形状のレンズフレーム３１０によりレンズ３１１を保持し、レンズフレーム３１１の下端外周部に、レンズユニット装着部材２００Ａと連結するための連結溝部３１２を形成したものである。また、第２のタイプのレンズユニット３００Ｂは、レンズフレーム３２０とレンズ３２１を一体に形成し、レンズフレーム３２０の下端にレンズユニット装着部材２００Ｂと連結するための雄ネジ部３２２を形成したものである。
【００１８】
一方、２つのタイプのレンズユニット装着部材２００Ａ、２００Ｂは、露光条件切替ユニット本体１００への連結構造を共通にして、各レンズユニット３００Ａ、３００Ｂにそれぞれ合わせて用意されている。
【００１９】
即ち、第１のタイプのレンズユニット装着部材２００Ａは、円筒状の枠部２１０の下端部に、露光条件切替ユニット本体１００のハウジング１０１に合わせるフランジ２１５を有し、枠部２１０の内側に、第１のタイプのレンズユニット３００Ａのレンズフレーム３１０の下端の嵌まる装着孔２１１を有している。また、枠部２１０の周壁の適当箇所にネジ孔２１２が設けられ、そのネジ孔２１２に止めネジ２１７が螺合されている。この止めネジ２１７は、装着孔２１１に挿入されたレンズユニット３００Ａのレンズフレーム３１０の連結溝部３１２に先端が係合することで、レンズユニット３００Ａの抜けを防止するものであり、この止めネジ２１７と前記ネジ孔２１２が、ここではレンズユニット装着部材２００Ａとレンズユニット３００Ａを連結するための連結手段に相当する。
【００２０】
また、フランジ２１５には、ハウジング１０１の前面ケース１２０の挿通孔１２３およ
び下面ケース１１０のネジ孔１１３に対応した３つのネジ挿通孔２１３が設けられている。そして、このフランジ２１５のネジ挿通孔２１３に固定ネジ２１６を通し、その固定ネジ２１６の先端を前面ケース１２０の挿通孔１２３を通して、後面ケース１１０の内部に形成したネジ孔１１３にねじ込むことによって、レンズユニット装着部材２００Ａが、露光条件切替ユニット本体１００のハウジング１０１の前面側に固定されている。従って、このレンズユニット装着部材２００Ａに対応したレンズユニット３００Ａを、中間部材であるレンズユニット装着部材２００Ａを介して、露光条件切替ユニット本体１００に固定することができる。ここでは、フランジ２１５に設けたネジ挿通孔２１３および固定ネジ２１６が、レンズユニット装着部材２００Ａをハウジング１０１に連結するための連結手段に相当する。
【００２１】
また、第２のタイプのレンズユニット装着部材２００Ｂは、円筒状の枠部２１０の下端部に、露光条件切替ユニット本体１００のハウジング１０１の前面ケース１２０に合わせるフランジ２１５を有し、枠部２１０の内周に、第２のタイプのレンズユニット３００Ｂのレンズフレーム３２０の雄ネジ部３２２の螺合する雌ネジ部２２１を有している。ここでは、この雌ネジ部２２１が、レンズユニット装着部材２００Ｂにレンズユニット３００Ｂを連結するための連結手段に相当する。また、フランジ２１５には、第１のタイプのレンズユニット装着部材２００Ａと同様にネジ挿通孔２１３が設けられており、固定ネジ２１６を用いてハウジング１０１にレンズユニット装着部材２００Ｂを連結できるようになっている。従って、このレンズユニット装着部材２００Ｂに対応したレンズユニット３００Ｂを、中間部材であるレンズユニット装着部材２００Ｂを介して、露光条件切替ユニット本体１００に固定することができる。
【００２２】
また、ハウジング１０１の後面側に取り付けられる撮像素子ユニット５００としては、３種類のタイプのものが考えられており、その中の２つのタイプの撮像素子ユニット５００Ａ１、５００Ａ２は、共通の撮像素子ユニット装着部材４００Ａを利用できることから、２種類のタイプの撮像素子ユニット装着部材４００Ａ、４００Ｂが用意され、いずれか１つの撮像素子ユニット装着部材４００Ａ、４００Ｂを選択して、露光条件切替ユニット本体１００に取り付けられるようになっている。
【００２３】
いずれのタイプの撮像素子ユニット５００Ａ１、５００Ａ２、５００Ｂも、回路基板５１０の表面の略中央部に種類の違う撮像素子（ＣＣＤ等）５２０Ａ１、５２０Ａ２、５２０Ｂを実装したもので、回路基板５１０に取付用のネジ挿通孔５１６が設けられ、それらネジ挿通孔５１６に通した固定ネジ５１７により、撮像素子ユニット装着部材４００Ａ、４００Ｂに固定できるようになっている。
【００２４】
一方、２つのタイプの撮像素子ユニット装着部材４００Ａ、４００Ｂは、露光条件切替ユニット本体１００への連結構造を共通にして、各撮像素子ユニット５００Ａ１、５００Ａ２、５００Ｂにそれぞれ合わせて用意されている。
【００２５】
即ち、いずれのタイプの撮像素子ユニット装着部材４００Ａ、４００Ｂも、本体部４１０の適当箇所に、ハウジング１０１の後面ケース１１０のネジ孔１１４に締結するための固定ネジ４１５を通す共通のネジ挿通孔４１４を有すると共に、回路基板５１０を撮像素子ユニット装着部材４００Ａ、４００Ｂに連結したときに、撮像素子５２０Ａ１、５２０Ａ２、５２０Ｂをハウジング１０１の開口部１４０に対応する位置に位置決めしつつ、他からの光の侵入を遮断するように収容する枠部４１２を有している。
【００２６】
ただし、これら枠部４１２の大きさや形状が、撮像素子ユニット装着部材４００Ａ、４００Ｂごとに異なっており、それぞれ対応する撮像素子ユニット５００Ａ１、５００Ａ２、５００Ｂの撮像素子５２０Ａ１、５２０Ａ２、５２０Ｂのタイプに合うように形成され
ている。また、各撮像素子ユニット装着部材４００Ａ、４００Ｂには、回路基板５１０をネジ５１７で固定するためのネジ孔４１６が設けられている。
【００２７】
従って、これら各撮像素子ユニット装着部材４００Ａ、４００Ｂに対応した撮像素子ユニット５００Ａ１、５００Ａ２、５００Ｂを、中間部材である撮像素子ユニット装着部材４００Ａ、４００Ｂを介して、露光条件切替ユニット本体１００に固定することができる。ここで、各撮像素子ユニット装着部材４００Ａ、４００Ｂのネジ挿通孔４１４および固定ネジ４１５が、撮像素子ユニット装着部材４００Ａ、４００Ｂをハウジング１０１に連結するための連結手段に相当し、ネジ孔４１６および固定ネジ５１７が、撮像素子ユニット装着部材４００Ａ、４００Ｂを撮像素子ユニット５００Ａ１、５００Ａ２、５００Ｂに連結するための連結手段に相当する。
【００２８】
以上をまとめると、例えば、第１のタイプのレンズユニット３００Ａを使うユーザーに対しては、第１のタイプのレンズユニット装着部材２００Ａを取り付けた露光条件切替ユニット１０を提供すればよく、第２のタイプのレンズユニット３００Ｂを使うユーザーに対しては、第２のタイプのレンズユニット装着部材２００Ｂを取り付けた露光条件切替ユニット１０を提供すればよいと言うことができる。
【００２９】
同様に、第１のタイプの撮像素子ユニット５００Ａ１（または５００Ａ２）を使うユーザーに対しては、第１のタイプの撮像素子ユニット装着部材４００Ａを取り付けた露光条件切替ユニット１０を提供すればよく、第２のタイプの撮像素子ユニット５００Ｂを使うユーザーに対しては、第２のタイプの撮像素子ユニット装着部材４００Ｂを取り付けた露光条件切替ユニット１０を提供すればよいと言うことができる。
【００３０】
そして、露光条件切替ユニット１０のハウジング１０１の前面側に取り付けたレンズユニット装着部材２００（２００Ａ、２００Ｂ）にレンズユニット３００（３００Ａ、３００Ｂ）を装着すると共に、後面側に取り付けた撮像素子ユニット装着部材４００（４００Ａ、４００Ｂ）に撮像素子ユニット５００（５００Ａ１、５００Ａ２、３００Ｂ）を装着して一体化することにより、カメラユニットを構成することができる。
【００３１】
以上の説明のように、本実施形態の露光条件切替ユニット１０によれば、ハウジング１０１の前面側に、レンズユニット３００の種類に応じて交換可能なレンズユニット装着部材２００を取り付けているので、露光条件切替ユニット本体１００までを標準品として用意し、レンズユニット３００の種類に応じてレンズユニット装着部材２００を選択して取り付けることにより、各種のレンズユニット３００に安価に対応することができる。また、ハウジング１０１の後面側に、撮像素子ユニット５００の種類に応じて交換可能な撮像素子ユニット装着部材４００を取り付けているので、露光条件切替ユニット本体１００までを標準品として用意し、撮像素子ユニット５００の種類に応じて撮像素子ユニット装着部材４００を選択して取り付けることにより、各種の撮像素子ユニット５００に安価に対応することができる。
【００３２】
また、本実施形態では、レンズユニット装着部材２００をハウジング１０１に取り付ける固定ネジ２１６を、ハウジング１０１のカバー部材である前面ケース１２０ではなく、前面ケース１２０の挿通孔１２３を貫通して、その下側の、強度の大きなベース部材としての役目を果たす後面ケース１１０のネジ孔１１３にまで締め込むので、取付強度を高く設定することができる。
【００３３】
また、上記実施形態では、レンズユニット３００の種類が２種類であり、それら２種類のレンズユニット３００に応じた２つのタイプのレンズユニット装着部材２００を用意する場合を示したが、より多数種のレンズユニット３００に対応するために多数タイプのレ
ンズユニット装着部材２００を用意して交換できるようにしてもよい。同様に撮像素子ユニット装着部材４００の種類もより多く用意して選択して交換できるようにしてもよい。
【００３４】
また、上記実施形態では、露光条件切替ユニット１０の前面側にレンズユニット装着部材２００を着脱自在に取り付け、後面側に撮像素子ユニット装着部材４００を着脱自在に取り付ける場合を示したが、レンズユニット３００の種類があまり多くないときは、露光条件切替ユニット本体１００の前面ケース１２０に直接レンズユニット装着部を形成してもよい。同様に、撮像素子ユニット５００の種類があまり多くないときは、露光条件切替ユニット本体１００の後面ケース１１０に直接撮像素子ユニット装着部を形成してもよい。
【００３５】
また、種類は多くなるものの、前面ケース１２０あるいは後面ケース１１０を、組み合わせを予定されるレンズユニット３００の種類や撮像素子ユニット５００の種類に応じて、それぞれ専用品で用意することもできる。図４は、前面ケースを、レンズユニットのタイプに応じて専用品で用意した場合の各例（ａ）〜（ｃ）を示している。
【００３６】
（ａ）は、ネジ込み式の小径のレンズユニット３５０Ａに対応した前面ケース１２０Ａを示しており、この前面ケース１２０Ａはネジ式のレンズユニット装着部１７０Ａを有している。（ｂ）は、差し込んで止めネジで固定する形式のレンズユニット３５０Ｂに対応した前面ケース１２０Ｂを示しており、この前面ケース１２０Ｂは止めネジで固定する部分の付いたレンズユニット装着部１７０Ｂを有している。（ｃ）は、ネジ込み式の大径のレンズユニット３５０Ｃに対応した前面ケース１２０Ｃを示しており、この前面ケース１２０Ｃは大径のネジ式のレンズユニット装着部１７０Ｃを有している。
【００３７】
これらの前面ケース１２０Ａ〜１２０Ｃを、図１の前面ケース１２０の代わりに後面ケース１１０と結合することにより、レンズユニット３５０Ａ〜３５０Ｃを取り付けることができるようになる。
【００３８】
また、上記実施形態では、露光条件切替ユニット１０がフィルタ切替ユニットである場合を示したが、絞りユニットあるいはシャッタユニット等にも本発明は適用することができる。
【符号の説明】
【００３９】
１０  露光条件切替ユニット
１００  露光条件切替ユニット本体
１０１  ハウジング
１１０  後面ケース
１２０  前面ケース
１４０  開口部
１１３  ネジ孔
１１４  ネジ孔
１２３  ネジ挿通孔
２１３  ネジ挿通孔（連結手段）
２１６  固定ネジ（連結手段）
２００，２００Ａ，２００Ｂ  レンズユニット装着部材
２１０  枠部
２１２  ネジ孔（連結手段）
２１７  止めネジ（連結手段）
２２１  雌ネジ部２２１（連結手段）
３００、３００Ａ、３００Ｂ  レンズユニット
４００、４００Ａ、４００Ｂ  撮像素子ユニット装着部材
４１２  枠部
４１４  ネジ挿通孔（連結手段）
４１５  固定ネジ（連結手段）
４１４  挿通孔（連結手段）
４１５  固定ネジ（連結手段）
４１６  ネジ孔（連結手段）
５００、５００Ａ１、５００Ａ２、５００Ｂ  撮像素子ユニット
５１０  回路基板
５１７  固定ネジ（連結手段）
５２０Ａ１、５２０Ａ２、５２０Ｂ  撮像素子
【図１】
2010286733.tif 000003
【図２】
2010286733.tif 000004
【図３】
2010286733.tif 000005
【図４】
2010286733.tif 000006